【手続補正書】
【提出日】平成16年7月2日(2004.7.2)
【手続補正１】
【補正対象書類名】明細書
【補正対象項目名】特許請求の範囲
【補正方法】変更
【補正の内容】
【特許請求の範囲】
【請求項１】
ａ）酸化的、熱的または光誘発的崩壊を受けやすい、本質的にフェノールを含まないポリオレフィン繊維；
ｂ）ベンゾフラノ−２−オン型の化合物の少なくとも１種および
ｃ）立体障害性アミンの群からの化合物の少なくとも１種
からなる組成物。
【請求項２】
ｄ）有機ホスフィットまたはホスホナイトの群からの化合物の少なくとも１種をさらに含む請求項１に記載の組成物。
【請求項３】
成分（ｂ）として式Ｉ
【化１】
1998114835.tif 000001
〔式中、ｎは１または２を表し；ｎが１のとき；Ｒ1は未置換であるか、または炭素原子数１ないし４のアルキル基、炭素原子数１ないし４のアルコキシ基、炭素原子数１ないし４のアルキルチオ基、ヒドロキシル基、ハロ基、アミノ基、炭素原子数１ないし４のアルキルアミノ基、フェニルアミノ基もしくはジ（炭素原子数１ないし４のアルキル）アミノ基によって置換された、ナフチル基、フェナントリル基、アントリル基、５，６，７，８−テトラヒドロ−２−ナフチル基、５，６，７，８−テトラヒドロ−１−ナフチル基、チエニル基、ベンゾ［ｂ］チエニル基、ナフト［２，３−ｂ］−チエニル基、チアントレニル基、ジベンゾフリル基、クロメニル基、キサンテニル基、フェノキサンチイニル基、ピロリル基、イミダゾリル基、ピラゾリル基、ピラジニル基、ピリミジニル基、ピリダジニ
ル基、インドリジニル基、イソインドリル基、インドリル基、インダゾリル基、プリニル基、キノリジニル基、イソキノリル基、キノリル基、フタラジニル基、ナフチリジニル基、キノキサリニル基、キナゾリニル基、シンノリニル基、プテリジニル基、カルバゾリル基、β−カルボリニル基、フェナントリジニル基、アクリジニル基、ペリミジニル基、フェナントロリニル基、フェナジニル基、イソチアゾリル基、フェノチアジニル基、イソキサゾリル基、フラザニル基、ビフェニル基、ターフェニル基、フルオレニル基またはフェノキサジニル基を表すか、あるいはＲ1は式ＩＩ
【化２】
1998114835.tif 000002
で表される基を表し；ｎが２のとき；Ｒ1は未置換であるかまたは炭素原子数１ないし４のアルキル基もしくはヒドロキシ基で置換されたフェニレン基またはナフチレン基を表すか、あるいは−Ｒ12−Ｘ−Ｒ13−を表し；Ｒ2、Ｒ3、Ｒ4およびＲ5は互いに独立して、水素原子、塩素原子、ヒドロキシル基、炭素原子数１ないし２５のアルキル基、炭素原子数７ないし９のフェニルアルキル基、未置換のもしくは炭素原子数１ないし４のアルキル基で置換されたフェニル基；未置換のもしくは炭素原子数１ないし４のアルキル基で置換された炭素原子数５ないし８のシクロアルキル基；炭素原子数１ないし１８のアルコキシ基、炭素原子数１ないし１８のアルキルチオ基、炭素原子数１ないし４のアルキルアミノ基、ジ（炭素原子数１ないし４のアルキル）アミノ基、炭素原子数１ないし２５のアルカノイルオキシ基、炭素原子数１ないし２５のアルカノイルアミノ基、炭素原子数３ないし２５のアルケノイルオキシ基；酸素原子、硫黄原子もしくは
【化３】
1998114835.tif 000003
で中断された炭素原子数３ないし２５のアルカノイルオキシ基；炭素原子数６ないし９のシクロアルキルカルボニルオキシ基、ベンゾイルオキシ基または炭素原子数１ないし１２のアルキル基で置換されたベンゾイルオキシ基を表すか；あるいはそうでなければ基Ｒ2およびＲ3または基Ｒ3およびＲ4または基Ｒ4およびＲ5は、それらが結合される炭素原子と一緒になって、ベンゾ環を形成し；Ｒ4はさらに、−（ＣＨ2）p−ＣＯＲ15または−（ＣＨ2）qＯＨ（式中、ｐは０、１または２を表し；ｑは１、２、３、４、５または６を表す。）を表し；あるいはＲ3、Ｒ5およびＲ6が水素原子を表す場合、Ｒ4はさらに式ＩＩＩ
【化４】
1998114835.tif 000004
（式中、Ｒ1はｎ＝１に関して上記で定義された意味を表す。）で表される基を表し；Ｒ6は水素原子または式ＩＶ：
【化５】
1998114835.tif 000005
（式中、Ｒ4は式ＩＩＩで表される基を表さずおよびＲ1はｎ＝１に関して上記で定義された意味を表す。）で表される基を表し；Ｒ7、Ｒ8、Ｒ9、Ｒ10およびＲ11は互いに独立して、水素原子、ハロゲン原子、ヒドロキシル基、炭素原子数１ないし２５のアルキル基；酸素原子、硫黄原子もしくは
【化６】
1998114835.tif 000006
で中断された炭素原子数２ないし２５のアルキル基；炭素原子数１ないし２５のアルコキシ基；酸素原子、硫黄原子もしくは
【化７】
1998114835.tif 000007
で中断された炭素原子数２ないし２５のアルコキシ基；炭素原子数１ないし２５のアルキルチオ基、炭素原子数３ないし２５のアルケニル基、炭素原子数３ないし２５のアルケニルオキシ基、炭素原子数３ないし２５のアルキニル基、炭素原子数３ないし２５のアルキニルオキシ基、炭素原子数７ないし９のフェニルアルキル基、炭素原子数７ないし９のフェニルアルコキシ基、未置換のもしくは炭素原子数１ないし４のアルキル基で置換されたフェニル基；未置換のもしくは炭素原子数１ないし４のアルキル基で置換されたフェノキシ基；未置換のもしくは炭素原子数１ないし４のアルキル基で置換された炭素原子数５ないし８のシクロアルキル基；未置換のもしくは炭素原子数１ないし４のアルキル基で置換された炭素原子数５ないし８のシクロアルコキシ基；炭素原子数１ないし４のアルキルアミノ基、ジ（炭素原子数１ないし４のアルキル）アミノ基、炭素原子数１ないし２５のアルカノイル基；酸素原子、硫黄原子もしくは
【化８】
1998114835.tif 000008
で中断された炭素原子数３ないし２５のアルカノイル基；炭素原子数１ないし２５のアルカノイルオキシ基；酸素原子、硫黄原子もしくは
【化９】
1998114835.tif 000009
で中断された炭素原子数３ないし２５のアルカノイルオキシ基；炭素原子数１ないし２５のアルカノイルアミノ基；炭素原子数３ないし２５のアルケノイル基；酸素原子、硫黄原子もしくは
【化１０】
1998114835.tif 000010
で中断された炭素原子数３ないし２５のアルケノイル基；炭素原子数３ないし２５のアルケノイルオキシ基；酸素原子、硫黄原子もしくは
【化１１】
1998114835.tif 000011
で中断された炭素原子数３ないし２５のアルケノイルオキシ基；炭素原子数６ないし９のシクロアルキルカルボニル基、炭素原子数６ないし９のシクロアルキルカルボニルオキシ基、ベンゾイル基もしくは炭素原子数１ないし１２のアルキル基で置換されたベンゾイル基；ベンゾイルオキシ基もしくは炭素原子数１ないし１２のアルキル基で置換されたベンゾイルオキシ基；基：
【化１２】
1998114835.tif 000012
を表すか、あるいはそうでなければ式ＩＩ中、基Ｒ7およびＲ8または基Ｒ8およびＲ11はそれらが結合される炭素原子と一緒になってベンゾ環を形成し；Ｒ12およびＲ13は互いに独立して、未置換のもしくは炭素原子数１ないし４のアルキル基で置換されたフェニレン基またはナフチレン基を表し；Ｒ14は水素原子または炭素原子数１ないし８のアルキル基を表し；Ｒ15はヒドロキシル基、
【化１３】
1998114835.tif 000013
を表し；Ｒ16およびＲ17は、互いに独立して、水素原子、ＣＦ3、炭素原子数１ないし１２のアルキル基またはフェニル基を表すか、あるいはＲ16およびＲ17はそれらが結合される炭素原子と一緒になって、未置換であるかもしくは炭素原子数１ないし４のアルキル基によって１ないし３回置換された炭素原子数５ないし８のシクロアルキリデン環を形成し；Ｒ18およびＲ19は互いに独立して、水素原子、炭素原子数１ないし４のアルキル基またはフェニル基を表し；Ｒ20は水素原子または炭素原子数１ないし４のアルキル基を表し；Ｒ21は水素原子、未置換のもしくは炭素原子数１ないし４のアルキル基で置換されたフェニル基；炭素原子数１ないし２５のアルキル基；酸素原子、硫黄原子もしくは
【化１４】
1998114835.tif 000014
によって中断された炭素原子数２ないし２５のアルキル基；未置換であるかもしくはフェニル基において炭素原子数１ないし４のアルキル基によって１ないし３回置換された炭素原子数７ないし９のフェニルアルキル基；未置換であるかもしくはフェニル基において炭素原子数１ないし４のアルキル基によって１ないし３回置換されおよび酸素原子、硫黄原子もしくは
【化１５】
1998114835.tif 000015
によって中断された炭素原子数７ないし２５のフェニルアルキル基を表し；あるいはそうでなければ基Ｒ20およびＲ21は、それらが結合している炭素原子と一緒になって、未置換であるかもしくは炭素原子数１ないし４のアルキル基によって１ないし３回置換された炭素原子数５ないし１２のシクロアルキレン基を形成し；Ｒ22は水素原子または炭素原子数１ないし４のアルキル基を表し；Ｒ23は水素原子、炭素原子数１ないし２５のアルカノイル基、炭素原子数３ないし２５のアルケノイル基、酸素原子、硫黄原子もしくは
【化１６】
1998114835.tif 000016
で中断された炭素原子数３ないし２５のアルカノイル基；ジ（炭素原子数１ないし６のアルキル）ホスホネート基によって置換された炭素原子数２ないし２５のアルカノイル基；炭素原子数６ないし９のシクロアルキルカルボニル基、テノイル基、フルオイル基、ベンゾイル基もしくは炭素原子数１ないし１２のアルキル基で置換されたベンゾイル基；
【化１７】
1998114835.tif 000017
（基中、ｓは０、１または２を表す。）を表し；Ｒ24およびＲ25は互いに独立して水素原子または炭素原子数１ないし１８のアルキル基を表し；Ｒ26は水素原子または炭素原子数１ないし８のアルキル基を表し；Ｒ27は直接結合、炭素原子数１ないし１８のアルキレン基；酸素原子、硫黄原子もしくは
【化１８】
1998114835.tif 000018
によって置換された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、炭素原子数７ないし８のビシクロアルキレン基、未置換のもしくは炭素原子数１ないし４のアルキル基で置換されたフェニレン基、
【化１９】
1998114835.tif 000019
を表し；Ｒ28はヒドロキシル基、
【化２０】
1998114835.tif 000020
（基中、 ｒは１、２または３を表す。）を表し；Ｒ29は酸素原子、−ＮＨ−または
【化２１】
1998114835.tif 000021
を表し；Ｒ30は炭素原子数１ないし１８のアルキル基またはフェニル基を表し；Ｒ31は水素原子または炭素原子数１ないし１８のアルキル基を表し；Ｍはｒ−価の金属カチオンを表し；Ｘは直接結合、酸素原子、硫黄原子もしくは−ＮＲ31−を表す。〕で表される化合物を含む請求項１に記載の組成物。
【請求項４】
成分（ｂ）として、式Ｖ
【化２２】
1998114835.tif 000022
（式中、Ｒ2は水素原子または炭素原子数１ないし６のアルキル基を表し；Ｒ3は水素原子を表し；Ｒ4は水素原子、炭素原子数１ないし６のアルキル基または式 ＩＩＩａ
【化２３】
1998114835.tif 000023
Ｒ5は水素原子を表し；Ｒ7、Ｒ8、Ｒ9、Ｒ10およびＲ11は互いに独立して、水素原子、炭素原子数１ないし４のアルキル基、炭素原子数１ないし４のアルコキシ基、炭素原子数２ないし６のアルカノイルオキシ基または
【化２４】
1998114835.tif 000024
を表すが但し、基Ｒ7、Ｒ8、Ｒ9、Ｒ10またはＲ11の少なくとも２つは水素原子を表し；Ｒ16およびＲ17は、それらが結合される炭素原子と一緒になって、未置換であるかもしくは炭素原子数１ないし４のアルキル基によって置換されたシクロヘキシリデン環を形成し；Ｒ20、Ｒ21およびＲ22は水素原子を表し；ならびにＲ23は水素原子または炭素原子数１ないし１８のアルカノイル基を表す。）で表される化合物を含む請求項１に記載の組成物。
【請求項５】
成分（ｃ）が、式ＸＩＩまたは式ＸＩＩＩ
【化２５】
1998114835.tif 000025
（式中、Ｇは水素原子またはメチル基を表し；およびＧ1およびＧ2は水素原子、メチル基または一緒になって酸素原子を表す。）で表される基の少なくとも１種を含む請求項１に記載の組成物。
【請求項６】
成分（ｃ）が式Ｈ１、Ｈ２、Ｈ３、Ｈ４、Ｈ５、Ｈ６、Ｈ７、Ｈ８またはＨ９
【化２６】
1998114835.tif 000026
【化２７】
1998114835.tif 000027
【化２８】
1998114835.tif 000028
（式中、
【化２９】
1998114835.tif 000029
およびｍは２ないし２００の範囲の数である。）で表される化合物である請求項１に記載の組成物。
【請求項７】
成分（ｄ）として式１、２、３、４、５、６または７
【化３０】
1998114835.tif 000030
（式中、指数は整数であり；およびｎ’は２，３または４を表し；ｐ’は１または２を表し；ｑ’は２または３を表し；ｒ’は４ないし１２を表し；ｙ’は１、２または３を表し；およびｚ’は１ないし６を表し；ｎ’が２のとき、Ａ’は炭素原子数２ないし１８のアルキレン基；酸素原子、硫黄原子もしくは−ＮＲ4’−によって中断された炭素原子数２ないし１２のアルキレン基；式
【化３１】
1998114835.tif 000031
で表される基またはフェニレン基を表し；ｎ’が３のとき、Ａ’は式−Ｃr'Ｈ2r'-1−で表される基を表し；
ｎ’が４のとき、Ａ’は基
【化３２】
1998114835.tif 000032
を表し；ｎ’が２のとき、Ａ’’はＡ’に対して定義された基であり；Ｂ’は直接結合、−ＣＨ2−、−ＣＨＲ’4−、−ＣＲ’1Ｒ’4−、硫黄原子、炭素原子数５ないし７のシクロアルキリデン基または、３、４および／または５位において炭素原子数１ないし４のアルキル基の１ないし４個により置換されたシクロヘキシリデン基を表し；ｐ’が１のとき、Ｄ’は炭素原子数１ないし４のアルキル基を、ならびにｐ’は２のとき、Ｄ’は−ＣＨ2ＯＣＨ2−を表し；ｐ’が１のとき、Ｄ’’は炭素原子数１ないし４のアルキル基を表し；ｙ’が１のとき、Ｅ’は炭素原子数１ないし１８のアルキル基、−ＯＲ’1またはハロゲン原子を表し；ｙ’が２のとき、Ｅ’は−Ｏ−Ａ’’−Ｏ−を表し；ｙ’が３のとき、Ｅ’は式Ｒ’4Ｃ（ＣＨ2Ｏ−）3またはＮ（ＣＨ2ＣＨ2Ｏ−）3で表される基を表し；Ｑは少なくとも１種のｚ’−価アルコールまたはフェノールを表し；この基は酸素原子を介して燐原子と結合され；Ｒ’1、Ｒ’2およびＲ’3は互いに独立して、未置換であるかまたはハロゲン原子、−ＣＯＯＲ’4、−ＣＮまたは−ＣＯＮＲ’4Ｒ’4によって置換された炭素原子数１ないし１８のアルキル基；酸素原子、硫黄原子もしくは−ＮＲ’4−によって中断された炭素原子数２ないし１８のアルキル基；炭素原子数７ないし９のフェニルアルキル基；炭素原子数５ないし１２のシクロアルキル基、フェニル基もしくはナフチル基；ハロゲン原子、総数１ないし１８個の炭素原子をもつアルキル基またはアルコキシ基の１ないし３個によって、または炭素原子数７ないし９のフェニルアルキル基によって置換されたナフチル基またはフェニル基；または式
【化３３】
1998114835.tif 000033
（式中、ｍ’は３ないし６の範囲の整数を表す。）で表される基を表し；Ｒ’4は水素原子、炭素原子数１ないし１８のアルキル基、炭素原子数５ないし１２のシクロアルキル基または炭素原子数７ないし９のフェニルアルキル基を表し；Ｒ’ 5およびＲ’6は互いに独立して、水素原子、炭素原子数１ないし８のアルキル基または炭素原子数５ないし６のシクロアルキル基を表し；ｑ’が２のとき、Ｒ’7およびＲ’8は互いに独立して炭素原子数１ないし４のアルキル基または一緒になって２，３−デヒドロペンタメチレン基を表し；およびｑ’が３のとき、Ｒ’7およびＲ’8はメチル基を表し；Ｒ’14は水素原子、炭素原子数１ないし９のアルキル基またはシクロヘキシル基を表し；Ｒ’15は水素原子またはメチル基を表しならびに２以上のＲ’14およびＲ’15が存在する場合、これらの基は同じであってもまたは異なっていてよく；Ｘ’およびＹ’はおのおの直接結合または酸素原子を表し；Ｚ’は直接結合、メチレン基、−Ｃ（Ｒ’16）2−または硫黄原子を表し；ならびにＲ’16は炭素原子数１ないし８のアルキル基を表す。）で表される化合物を含む請求項２に記載の組成物。
【請求項８】
成分（ｄ）が、トリス（２，４−ジ−第三ブチルフェニル）ホスフィット、トリス（ノニルフェニル）ホスフィットまたは式Ａ、Ｂ、Ｃ、Ｄ、Ｅ、Ｆ、Ｇ、Ｈ、Ｉ、ＫまたはＬ
【化３４】
1998114835.tif 000034
【化３５】
1998114835.tif 000035
で表される化合物である請求項２に記載の組成物。
【請求項９】
成分（ａ）、（ｂ）および（ｃ）の他に、別の添加剤をさらに含む請求項１に記載の組成物。
【手続補正２】
【補正対象書類名】明細書
【補正対象項目名】０１１９
【補正方法】削除
【補正の内容】
【手続補正３】
【補正対象書類名】明細書
【補正対象項目名】０１２０
【補正方法】削除
【補正の内容】
【手続補正４】
【補正対象書類名】明細書
【補正対象項目名】０１２１
【補正方法】削除
【補正の内容】
【手続補正５】
【補正対象書類名】明細書
【補正対象項目名】０１２２
【補正方法】削除
【補正の内容】
【手続補正６】
【補正対象書類名】明細書
【補正対象項目名】０１２３
【補正方法】削除
【補正の内容】
【手続補正７】
【補正対象書類名】明細書
【補正対象項目名】０１２４
【補正方法】削除
【補正の内容】
【手続補正８】
【補正対象書類名】明細書
【補正対象項目名】０１２５
【補正方法】削除
【補正の内容】
【手続補正９】
【補正対象書類名】明細書
【補正対象項目名】０１２６
【補正方法】削除
【補正の内容】
【手続補正１０】
【補正対象書類名】明細書
【補正対象項目名】０１２７
【補正方法】削除
【補正の内容】
【手続補正１１】
【補正対象書類名】明細書
【補正対象項目名】０１２８
【補正方法】削除
【補正の内容】
【手続補正１２】
【補正対象書類名】明細書
【補正対象項目名】０１２９
【補正方法】削除
【補正の内容】
【手続補正１３】
【補正対象書類名】明細書
【補正対象項目名】０１３０
【補正方法】削除
【補正の内容】
【手続補正１４】
【補正対象書類名】明細書
【補正対象項目名】０１３１
【補正方法】削除
【補正の内容】
【手続補正１５】
【補正対象書類名】明細書
【補正対象項目名】０１３２
【補正方法】削除
【補正の内容】
【手続補正１６】
【補正対象書類名】明細書
【補正対象項目名】０１３３
【補正方法】削除
【補正の内容】
【手続補正１７】
【補正対象書類名】明細書
【補正対象項目名】０１３４
【補正方法】削除
【補正の内容】
【手続補正１８】
【補正対象書類名】明細書
【補正対象項目名】０１３５
【補正方法】削除
【補正の内容】
【手続補正１９】
【補正対象書類名】明細書
【補正対象項目名】０１３６
【補正方法】削除
【補正の内容】
【手続補正２０】
【補正対象書類名】明細書
【補正対象項目名】０１３７
【補正方法】削除
【補正の内容】
【手続補正２１】
【補正対象書類名】明細書
【補正対象項目名】０１３８
【補正方法】削除
【補正の内容】
【手続補正２２】
【補正対象書類名】明細書
【補正対象項目名】０１３９
【補正方法】削除
【補正の内容】
【手続補正２３】
【補正対象書類名】明細書
【補正対象項目名】０１４０
【補正方法】削除
【補正の内容】
【手続補正２４】
【補正対象書類名】明細書
【補正対象項目名】０１４１
【補正方法】削除
【補正の内容】
【手続補正２５】
【補正対象書類名】明細書
【補正対象項目名】０１４２
【補正方法】削除
【補正の内容】
【手続補正２６】
【補正対象書類名】明細書
【補正対象項目名】０１４３
【補正方法】削除
【補正の内容】
【手続補正２７】
【補正対象書類名】明細書
【補正対象項目名】０１４４
【補正方法】削除
【補正の内容】
【手続補正２８】
【補正対象書類名】明細書
【補正対象項目名】０１４５
【補正方法】削除
【補正の内容】
【手続補正２９】
【補正対象書類名】明細書
【補正対象項目名】０１４６
【補正方法】削除
【補正の内容】
【手続補正３０】
【補正対象書類名】明細書
【補正対象項目名】０１４７
【補正方法】削除
【補正の内容】
【手続補正３１】
【補正対象書類名】明細書
【補正対象項目名】０１４８
【補正方法】削除
【補正の内容】
【手続補正３２】
【補正対象書類名】明細書
【補正対象項目名】０１４９
【補正方法】削除
【補正の内容】
【手続補正３３】
【補正対象書類名】明細書
【補正対象項目名】０１５０
【補正方法】削除
【補正の内容】
【手続補正３４】
【補正対象書類名】明細書
【補正対象項目名】０１５１
【補正方法】削除
【補正の内容】
【手続補正３５】
【補正対象書類名】明細書
【補正対象項目名】０１５２
【補正方法】削除
【補正の内容】
【手続補正３６】
【補正対象書類名】明細書
【補正対象項目名】０１５３
【補正方法】削除
【補正の内容】
【手続補正３７】
【補正対象書類名】明細書
【補正対象項目名】０１６０
【補正方法】削除
【補正の内容】
【手続補正３８】
【補正対象書類名】明細書
【補正対象項目名】０１６１
【補正方法】削除
【補正の内容】
【手続補正３９】
【補正対象書類名】明細書
【補正対象項目名】０１６２
【補正方法】削除
【補正の内容】
【手続補正４０】
【補正対象書類名】明細書
【補正対象項目名】０１６３
【補正方法】削除
【補正の内容】
【手続補正４１】
【補正対象書類名】明細書
【補正対象項目名】０１６４
【補正方法】削除
【補正の内容】
【手続補正４２】
【補正対象書類名】明細書
【補正対象項目名】０１６５
【補正方法】削除
【補正の内容】
【手続補正４３】
【補正対象書類名】明細書
【補正対象項目名】０１６６
【補正方法】削除
【補正の内容】
【手続補正４４】
【補正対象書類名】明細書
【補正対象項目名】０１６７
【補正方法】削除
【補正の内容】
【手続補正４５】
【補正対象書類名】明細書
【補正対象項目名】０１８４
【補正方法】削除
【補正の内容】
【手続補正４６】
【補正対象書類名】明細書
【補正対象項目名】０１８８
【補正方法】削除
【補正の内容】